(57)【要約】【課題】  引出し部が設けられたワゴンをキャビネット本体の内部空間に収容した場合でも、引出し前面板が飛び出すことを防ぐことができるキャビネットを提供すること。【解決手段】  少なくとも収納体３の前面に開口する開口部１５の内側に内部空間１６を有するキャビネット本体１と、このキャビネット本体１の収納体３の内部空間１６に開口部１５を介して収容されるワゴン１７とからなるキャビネット１であって、キャビネット本体１は、開口部１５の近傍内側にワゴン側板２０ａをガイドする案内部材４５を備え、更にワゴン１７は、引出し部１８、１９と、引出し前面板２４、２５と、引出し前面板２４、２５の背面側に設けられたストッパー片２８とを有し、案内部材４５とストッパー片２８とが当接可能になっている。【選択図】  図３
2005287696.tif 000002
【特許請求の範囲】
【請求項１】
少なくとも収納体の前面に開口する開口部の内側に内部空間を有するキャビネット本体と、該キャビネット本体の前記収納体の内部空間に前記開口部を介して収容されるワゴンとからなるキャビネットであって、前記キャビネット本体は、前記開口部の近傍内側にワゴン側板をガイドする案内部材を備え、更にワゴンは、引出し部と、引出し前面板と、引出し前面板の背面側に設けられたストッパー片とを有し、前記案内部材とストッパー片とが当接可能になっていることを特徴とするキャビネット。
【請求項２】
前記案内部材が、垂直方向に軸を有するガイドローラである請求項１に記載のキャビネット。
【請求項３】
前記案内部材とワゴンのストッパー片との当接時に、前記キャビネット本体の前面と、ワゴンの引出し前面板とが面一となる寸法になっている請求項１または２に記載のキャビネット。
【請求項４】
前記ワゴンは天板を有し、該天板が、前記開口部に先に進入する側が狭くなるように平面視略台形状をしており、前記ストッパー片の上面が、前記天板によって覆われる請求項１ないし３のいずれかに記載のキャビネット。
【請求項５】
前記ワゴンの収容時に、該ワゴンの移動を規制する規制部材が、前記ワゴンもしくは前記キャビネット本体の内部空間の内側の少なくともいずれかに設けられている請求項１ないし４のいずれかに記載のキャビネット。
【発明の詳細な説明】
【技術分野】
【０００１】
本発明は、キャビネットの内部空間に、ワゴンが収容されるキャビネットに関する。
【背景技術】
【０００２】
従来のキャビネットは、キャビネット本体の天板の下方にワゴン収納空間を形成し、キャスターが取り付けられた床面を走行可能なワゴンを、ワゴン収納空間に出入り自在に収容しており、ワゴン収納空間にワゴンが収容されたときに、ワゴンの前面の化粧板が、ワゴン収納空間の左右両側の側板に当接されることで、ワゴンが収納空間内で停止されるものがある（例えば、特許文献１参照）。
【０００３】
【特許文献１】特開２００１−４６１６３号公報（第２頁、第１図）
【発明の開示】
【発明が解決しようとする課題】
【０００４】
上記文献のように、ワゴンがキャビネット本体の内部空間（収納空間）に収容された構造では、ワゴンの内部に収納された食器等の収納物を取り出すことができず、ワゴンがキャビネット本体に収容された状態であっても、ワゴン内部の収納物が取り出せるように、引出し部を有するワゴンをキャビネット本体の内部空間に収容したいという要望がある。
【０００５】
しかしながら、引出し部を有するワゴンをキャビネット本体内に収納することになると、ワゴンの引出し前面板（化粧板）が、キャビネット本体の内部空間（収納空間）の左右両側の側板に衝突した場合、ワゴンの引出し前面板が飛び出し、引出し部が開放されてしまう。
【０００６】
本発明は、このような問題点に着目してなされたもので、引出し部が設けられたワゴンをキャビネット本体の内部空間に収容した場合でも、引出し前面板が飛び出すことを防ぐことができるキャビネットを提供することを目的とする。
【課題を解決するための手段】
【０００７】
上記課題を解決するために、本発明の請求項１に記載のキャビネットは、少なくとも収納体の前面に開口する開口部の内側に内部空間を有するキャビネット本体と、該キャビネット本体の前記収納体の内部空間に前記開口部を介して収容されるワゴンとからなるキャビネットであって、前記キャビネット本体は、前記開口部の近傍内側にワゴン側板をガイドする案内部材を備え、更にワゴンは、引出し部と、引出し前面板と、引出し前面板の背面側に設けられたストッパー片とを有し、前記案内部材とストッパー片とが当接可能になっていることを特徴としている。
この特徴によれば、引出し部が設けられたワゴンが、キャビネット本体の内部空間に収容される際に、ワゴンの引出し前面板の背面側に設けられたストッパー片が、案内部材に当接されることで、引出し前面板が案内部材に衝突せず、引出し前面板の飛び出しを防ぐことができる。
【０００８】
本発明の請求項２に記載のキャビネットは、請求項１に記載のキャビネットであって、前記案内部材が、垂直方向に軸を有するガイドローラであることを特徴としている。
この特徴によれば、ワゴンがキャビネット本体の内部空間から出し入れされる際に、ワゴン側板が、水平方向に回転されるガイドローラに接触してワゴンが案内されるので、ワゴンの出し入れをスムーズに行うことができる。
【０００９】
本発明の請求項３に記載のキャビネットは、請求項１または２に記載のキャビネットであって、前記案内部材とワゴンのストッパー片との当接時に、前記キャビネット本体の前面と、ワゴンの引出し前面板とが面一となる寸法になっていることを特徴としている。
この特徴によれば、ワゴンがキャビネット本体の内部空間内に収容されたときに、キャビネット本体の前面と、ワゴンの引出し前面板とが面一となるので、キャビネットの美観を向上させることができる。
【００１０】
本発明の請求項４に記載のキャビネットは、請求項１ないし３のいずれかに記載のキャビネットであって、前記ワゴンは天板を有し、該天板が、前記開口部に先に進入する側が狭くなるように平面視略台形状をしており、前記ストッパー片の上面が、前記天板によって覆われることを特徴としている。
この特徴によれば、ワゴンがキャビネット本体の内部空間に、開口部を介して収容される際に、ワゴンの天板が、開口部に先に進入する側が狭くなるように形成されていることで、ワゴンをキャビネット本体の開口部から入れ易くなっており、かつストッパー片の上面が、ワゴンの天板によって覆われていることで、ワゴンの収容時に、ストッパー片と天板とにより、キャビネット本体の開口部とワゴンとの間の隙間を小さくでき、キャビネットの美観がよくなる。
【００１１】
本発明の請求項５に記載のキャビネットは、請求項１ないし４のいずれかに記載のキャビネットであって、前記ワゴンの収容時に、該ワゴンの移動を規制する規制部材が、前記ワゴンもしくは前記キャビネット本体の内部空間の内側の少なくともいずれかに設けられていることを特徴としている。
この特徴によれば、キャビネット本体の内部空間にワゴンが収容されているときに、ワゴンの引出し部を引いても、規制部材によってワゴンの移動が規制されるので、引出し部と一緒にワゴンが引出されることなく収納空間内でワゴンを安定させることができ、引出し部の操作性が向上する。
【発明を実施するための最良の形態】
【００１２】
本発明の実施例を以下に説明する。
【実施例】
【００１３】
本発明の実施例を図面に基づいて説明すると、先ず図1は、本発明の実施例におけるキャビネット本体の全体像を示す斜視図である。図１の符号１は、本発明が適用されたシステムキッチン等に用いられるキャビネット本体であり、このキャビネット本体１における図１中の左側には、シンク２等が設けられた本実施例における収納体としての流し台３が配置されており、図１中の右側には、ガスコンロ４等が設けられたガス台５が配置されている。
【００１４】
流し台３とガス台５は、台所の壁面に沿って互いに直角に組み合わされて平面視でＬ字形状に配置されており、この流し台３とガス台５は、１枚のＬ字形の天板６によって連結されている。流し台３とガス台５の下方には、皿や鍋等の収納物を収納できる収納部７、８（図３参照）が形成されており、この収納部７、８を隠蔽できる扉９、１０が収納部７、８の前側に揺動可能に枢着されている。
【００１５】
流し台３とガス台５に設けられている扉９、１０には、扉９、１０の開閉の際に使用者が把持する把手１１、１２が取り付けられており、これらの把手１１、１２は平面視で略コ字形状をなし、扉９、１０の前面に突設されている。また、ガス台５に配置されているガスコンロ４には、ガスコンロ４を操作するためのつまみ１４やグリルを開放させるための把手１３が突設されている。
【００１６】
流し台３のコーナー寄りの前面には、開口部１５が開設されており、流し台３の開口部１５の内方に形成された本実施例における内部空間としての収納空間１６（図３参照）にワゴン１７を収容できるようになっていて、流し台３の開口部１５からワゴン１７を出し入れできるようになっている。
【００１７】
ワゴン１７について図２を参照して詳述すると、図２は、（ａ）ワゴン１７を示す斜視図であり、（ｂ）は、ワゴン１７の引出し１９が引出された状態を示す斜視図である。以下、図２の右下を前方として説明する。
【００１８】
このワゴン１７は箱形状をなす筐体２０で構成されており、筐体２０の下部には、前後４箇所にキャスター２１が取り付けられており、ワゴン１７が床面を自在に走行できるようになっている。これらのキャスター２１には、使用者が足で踏むことでキャスター２１を固定できるロック機構（図示略）が設けられている。
【００１９】
ワゴン１７の筐体２０の上部には、天板２２が設けられており、台所で使用する台所用品を載置できるようになっていて、この天板２２は、後方に行くに従い狭くなるように平面視で略台形状をなし、天板２２の後方の角部２２ａ、２２ｂは、平面視で滑らかな曲線をなすように構成されている。
【００２０】
また、ワゴン１７には、上下２段の引出し１８、１９が設けられており、この引出し１８、１９の内部には、収納物を収納できる収納箱２３が設けられている。収納箱２３の前面に設けられている前面板２４、２５には、平面視で略コ字形状をしている把手２６、２７が突設されており、収納箱２３内の収納物を取り出す際には、把手２７を把持して引出し１９を前方へ引出すことで、図２（ｂ）に示すように、引出し１９の収納箱２３が開放されるようになっている。
【００２１】
ワゴン１７の筐体２０の両側面を構成する本実施例におけるワゴン側板としての両側面板２０ａの両前端には、上下方向に延びる本実施例におけるストッパー片としてのスペーサ２８が取り付けられており、このスペーサ２８の後面には、後方に行くに従って薄くなるようなテーパー面２８ａが形成されており、このスペーサ２８の前面は、引出し１８、１９が閉鎖状態の時に、引出し１８、１９の前面板２４、２５の左右端部によって覆われるようになっている。尚、スペーサ２８の上面は、ワゴン１７の天板２２によって覆われている。
【００２２】
上下の引出し１８、１９の間には、左右方向に横長に形成された把手２９がワゴン１７の筐体２０及びスペーサ２８に固着されており、ワゴン１７を流し台３の開口部１５から出し入れする際には、この把手２９を掴んでワゴン１７を移動させることができる。
【００２３】
図３は、キャビネット本体１を示す横断平面図であり、以下、図３の下側を前方として説明すると、台所の壁面に沿って設置された流し台３のコーナー部には、ワゴン１７等を収容できる収納空間１６が形成されており、この収納空間１６の図３中の左側には、皿や鍋等の収納物を収納できる収納部７が形成されていて、収納空間１６と収納部７とは側板３０によって仕切られている。
【００２４】
また、流し台３と直角に組み合わされたガス台５にも収納部８が形成されており、このガス台５の収納部８と、流し台３のコーナー部に形成された収納空間１６は、隔壁３１によって仕切られている。更に、流し台３とガス台５に設けられた収納部７、８を隠蔽する扉９、１０の表面側には、化粧板３２、３３が取り付けられており、キャビネット本体１の使用者の好みに合わせたデザインの化粧板３２、３３を取り付けてキャビネット本体１を製造できるようになっている。
【００２５】
隔壁３１とワゴン１７を出し入れできる開口部１５との間には、上下方向に延びる板材３４が設けられており、この板材３４の表面側には、化粧板３５が取り付けられており、ガス台５の表面に取り付けられた化粧板３６と互いに直角をなすように配置され、内側角部を構成している。板材３４は水平方向の幅の寸法（α）が、ガス台５の扉１０に設けられた把手１２や、ガスコンロ４に設けられているつまみ１４や把手１３の突出長（β）よりも大きくなるように形成されている。
【００２６】
収納空間１６内の開口部１５の近傍内側の流し台３の天板６の下面には、本実施例における案内部材としての２つのガイドローラ４５が固着されており、これらのガイドローラ４５は、ワゴン１７が収納空間１６に収容されたときに、ワゴン１７の両側面板２０ａの上方の部位に左右方向から当接できる位置に配置されている。
【００２７】
ワゴン１７を収納空間１６から出すときには、ワゴン１７に設けられている上下の引出し１８、１９の間に配置されている把手２９を掴んで前方に引出すことができ、ワゴン１７の筐体２０の両側面板２０ａが、ガイドローラ４５に案内されながらスムーズに引出されるようになっている。
【００２８】
また、ワゴン１７を前方に引出すときに、流し台３の開口部１５が内側角部から所定幅（所定寸法α）の板材３４を残して開設されているため、前方に引出されたワゴン１７は、ガス台５の表面に設けられた化粧板３３、３６と離れて走行されるようになるので、ワゴン１７がガス台５の化粧板３３、３６と接触し難くなり、削れや擦れなどの傷が、ガス台５の化粧板３３、３６につくことを防ぐことができるとともに、板材３４の水平方向の所定幅（α）が、ガス台５の扉１０に設けられた把手１２や、ガスコンロ４に設けられている把手１３やつまみ１４の突出長（β）よりも大きいので、走行されるワゴン１７が把手１２、１３やつまみ１４にあたり難くなっている。
【００２９】
そして、ワゴン１７を収納するときには、ワゴン１７を後方から先に開口部１５に進入させることができるようになっており、ワゴン１７の天板２２の後方の角部２２ａ、２２ｂが、滑らかな曲線をなしているとともに、ワゴン１７の天板２２が後方に行くに従い狭くなるように形成されていることで、ワゴン１７を流し台３の開口部１５から入れ易くなっている。
【００３０】
また、ワゴン１７の天板２２の後方の角部２２ａ、２２ｂが曲線をなすことで、流し台３の扉９や板材３４に、角部２２ａ、２２ｂが接触しても、扉９や板材３４に傷がつかないようになっている。そして、ワゴン１７が開口部１５から収納空間１６内に進入されると、ワゴン１７の筐体２０の両側面板２０ａが、ガイドローラ４５によって案内されながらワゴン１７が後方に直進されるようになっており、ワゴン１７の後端が左右方向にずれることなくワゴン１７が収納できるようになっている。
【００３１】
尚、ワゴン１７のスペーサ２８のテーパー面２８ａが、ガイドローラ４５と当接されたときに、ワゴン１７が収納空間１６内で停止されるようになっており、ワゴン１７に設けられた引出し１８、１９の前面板２４、２５を、ガイドローラ４５に衝突させることなくワゴン１７を停止させることができるので、引出し１８、１９の前面板２４、２５が飛び出すことなくワゴン１７が停止される。
【００３２】
そして、スペーサ２８にテーパー面２８ａが形成されていることで、ワゴン１７が収納空間１６に押し込まれると、テーパー面２８ａがガイドローラ４５を左右方向に押し広げるようになり、ガイドローラ４５が左右両側からワゴン１７を挟み込むようになるので、ワゴン１７が収納空間１６内で安定して配置されるようになる。
【００３３】
更に、ワゴン１７の引出し１８、１９の前面板２４、２５の水平方向の幅は、流し台３の開口部１５の水平方向の幅とほぼ同じになるように形成されているので、流し台３の収納空間１６をワゴン１７によって隠蔽することができるようになっている。そして、ワゴン１７のスペーサ２８がガイドローラ４５と当接されたときに、ワゴン１７の引出し１８、１９の前面板２４、２５が、流し台３に設けられた扉９の表面の化粧板３２や板材３４の表面の化粧板３５と面一をなすように形成されており、キャビネット本体１全体の美観を向上させることができるようになっている。
【００３４】
流し台３に設けられている収納空間１６におけるワゴン１７の右側方には、コーナー用収納棚装置３８が配置されており、このコーナー用収納棚装置３８について図４を参照して説明すると、図４は、ワゴン１７がキャビネット本体１から出された状態を示す横断平面図であり、以下、図４の下側を前方として説明する。
【００３５】
流し台３の収納空間１６の開口部１５の右側方の奥側には、長手が水平方向をなす可動レール３９が、板材３４と隔壁３１に設けた支持フレーム４０を介して配置されており、この可動レール３９にピン４１により水平回動自在に枢着されている棚本体４２が、開口部１５に向かって移動可能となっている。棚本体４２は、複数のワイヤを結合することにより、後面が円弧状に湾曲する扁平な籠状に形成され、収納物を収納できるようになっており、図４中における棚本体４２の左側方には、把手４３が取り付けられている。
【００３６】
棚本体４２の左側方に配置されるワゴン１７を開口部１５から引出すと、使用者が棚本体４２に設けられた把手４３を掴むことができるようになっており、使用者が棚本体４２把手４３を掴んで左方に向かって引くと、棚本体４２は、可動レール３９と共に、可動レール３９の左端及びピン４１が、開口部１５の右側端と近接する位置まで移動させることができ、この位置で棚本体４２を、ピン４１を中心として開口部１５側に水平に９０°回転させることができるので、棚本体４２への収納物の出し入れを容易に行えるようになっている。
【００３７】
棚本体４２が、収納空間１６の奥側に配置された状態において、収納空間１６からワゴン１７が出されると、開口部１５から棚本体４２に収納された収納物が露出されるようになるが、流し台３の開口部１５の右側に配置された板材３４の長さの分だけ棚本体４２が開口部１５から奥側に配置されるようになるので、板材３４が棚本体４２の目隠し板の役目を果たし、キャビネット本体１の美観を向上させることができるようになっている。
【００３８】
ガイドローラ４５について図５を用いて詳述すると、図５は、図３におけるＡ−Ａ断面図であり、以下、図５の紙面手前を前方として説明すると、収納空間１６内の開口部１５の近傍における流し台３の天板６の下面には、長手方向が左右方向を向く正面視で略コ字形状の取付ベース４６が固着されており、この取付ベース４６の左右両端には、ブラケット４７が固定されていて、ブラケット４７には、垂直方向に延びる軸部材４８が枢着されている。
【００３９】
本実施例における案内部材としてのガイドローラ４５は、軸部材４８の周りに設けられ、軸部材４８を中心軸として水平方向に回転できるようになっており、ワゴン１７が開口部１５から出し入れされる際には、ワゴン１７の左右両側面板２０ａが、ガイドローラ４５に当接されながらワゴン１７が前後方向に移動されるようになっている。
【００４０】
また、ガイドローラ４５は、弾力性を有する合成樹脂等の材質で形成されており、更に、ガイドローラ４５は、左右方向からワゴン１７の両側面板２０ａを挟み込むようになっていて、ワゴン１７は左右両側からガイドローラ４５に押圧されながら案内されるので、ワゴン１７がぐらつくことなく前後方向に移動されるようになっている。
【００４１】
また、取付ベース４６の左側は、流し台３の収納部７と収納空間１６とを仕切るための側板３０に固着されている。取付ベース４６の右側には、前述したコーナー用収納棚装置３８が配置されるようになっており、空間が空いていて取付ベース４６を固着させるものがないが、取付ベース４６は金属等の材質で構成されているため、ガイドローラ４５を保持するための充分な強度を有している。
【００４２】
尚、取付ベース４６の右側に取付板を延設させて、この取付板を開口部１５の右手に配置されている板材３４の後面に固着させてもよい。更に、取付ベース４６を使用してガイドローラ４５を保持させていることで、ガイドローラ４５の側方近傍に側板３０のような取り付けの対象となる部材がなくともガイドローラ４５を設置できるようになり、かつ複数の取付ベース４６を左右方向に並設して複数のワゴン１７を並列に収納させてもよいし、複数の取付ベース４６を前後方向に直列に配置して、１台のワゴン１７の側面板２０ａを前方から後方に至るまでガイドローラ４５で案内するようにしてもよい。
【００４３】
流し台３に形成された収納空間１６内の後方側の本実施例における内部空間の内側としての天板６の下面には、長手方向が左右方向に延びる本実施例における規制部材としてのパッキン４９が固着されており、このパッキン４９は、弾力性を有するゴム等の軟質材で構成されていて、ワゴン１７が収納空間１６内に収容されたときに、ワゴン１７の天板２２の上面が、パッキン４９に当接されるようになっている。
【００４４】
パッキン４９について図６を参照して説明すると、図６は、ワゴン１７が収納空間１６に収容された状態を示す縦断平面図であり、以下、図６の左側を前方として説明する。ワゴン１７が収納空間１６に収容されたときに、ワゴン１７の天板２２の後部が、流し台３の天板６に固着された弾力性を有するパッキン４９に上方から若干押圧されながら当接されるようになっている。
【００４５】
ワゴン１７が収納空間１６内に収容されているときに、使用者が引出し１８を手前に引くと、引出し１８が開放されると同時に、ワゴン１７全体を前方に移動させる力が加わるようになるが、ワゴン１７の天板２２の後部がパッキン４９に当接されることで、ワゴン１７の天板２２とパッキン４９との間に作用する摩擦により、引出し１８と一緒にワゴン１７が引出されることなく収納空間１６内でワゴン１７を安定させることができるので、引出し１８の操作性が向上するようになる。
【００４６】
また、ワゴン１７が収納空間１６内に収容された状態において、使用者がワゴン１７の下部に取り付けられた前方のキャスター２１をロックして、引出し１８を手前に引くと、引出し１８が開放されると同時に、ワゴン１７が前方側に倒れ込む方向にモーメントが加わるようになるが、ワゴン１７の天板２２の後部（奥側の部位）がパッキン４９に当接されることで、ワゴン１７が前のめりになることを防ぐことができるようになっている。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、上記実施例では、ワゴン１７のスペーサ２８の前面が、引出し１８、１９が閉鎖状態の時に、引出し１８、１９の前面板２４、２５の左右端部によって覆われるようになっており、更にワゴン１７を収納空間１６から出し入れするための把手２９が、上下の引出し１８、１９の間に配置されていたが、これに限定されるものではなく、引出し１８、１９が閉鎖状態の時に、左右両側に配置されるスペーサ２８の前面を、引出し１８、１９の前面板２４、２５と面一をなすように形成し、左右両側のスペーサ２８の前面に側面視略コ字形状をなす縦長の把手を取り付け、使用者がワゴン１７を引出すときに、両手でスペーサ２８に取り付けられた把手を把持して、ワゴン１７を移動させるようにしてもよく、このようにすれは、使用者がワゴン１７を移動させ易くなる。
【００４９】
また、上記実施例では、ワゴン１７の前のめり防止のために、パッキン４９が、流し台３の天板６の下面に固着されていたが、ワゴン１７の筐体２０の後面に後方に突出する突出金具を取り付け、ワゴン１７が収容されたときに、ワゴン１７の突出金具が嵌合される係合孔をキャビネット本体１の収納空間１６の後面に設け、突出金具が下方向から係合孔の内面に当接されて、互いに係合されることで、ワゴン１７の引出し１８が開放されたときに、ワゴン１７が前のめりになることを防ぐようにしてもよい。
【００５０】
更に、上記実施例では、台所で使用されるキャビネットを例に説明してきたが、本発明はこれに限定されるものではなく、家庭で使用されるその他の家具やオフィスで使用される事務用の什器等にも適用できる。
【図面の簡単な説明】
【００５１】
【図１】本発明の実施例におけるキャビネット本体の全体像を示す斜視図である。
【図２】（ａ）ワゴンを示す斜視図であり、（ｂ）は、ワゴンの引出しが引出された状態を示す斜視図である。
【図３】キャビネット本体を示す横断平面図である。
【図４】ワゴンがキャビネット本体から出された状態を示す横断平面図である。
【図５】図３におけるＡ−Ａ断面図である。
【図６】ワゴンが収納空間に収容された状態を示す縦断平面図である。
【符号の説明】
【００５２】
１                キャビネット本体
２                シンク
３                流し台（収納体）
４                ガスコンロ
５                ガス台
６                天板
７、８            収納部
９、１０          扉
１１、１２、１３  把手
１４              つまみ
１５              開口部
１６              収納空間（内部空間）
１７              ワゴン
１８、１９        引出し
２０              筐体
２０ａ            側面板（ワゴン側板）
２１              キャスター
２２              天板
２２ａ、２２ｂ    角部
２３              収納箱
２４、２５        前面板
２６、２７        把手
２８              スペーサ（ストッパー片）
２８ａ            テーパー面
２９              把手
３０              側板
３１              隔壁
３２、３３        化粧板
３４              板材
３５、３６        化粧板
３８              収納棚装置
３９              可動レール
４０              支持フレーム
４１              ピン
４２              棚本体
４３              把手
４５              ガイドローラ（案内部材）
４６              取付ベース
４７              ブラケット
４８              軸部材
４９              パッキン（規制部材）
【図１】
2005287696.tif 000003
【図２】
2005287696.tif 000004
【図３】
2005287696.tif 000005
【図４】
2005287696.tif 000006
【図５】
2005287696.tif 000007
【図６】
2005287696.tif 000008